(57)【要約】【課題】蓋体と口頸部との間にラチェット機構を設けて不用意に蓋が開かないような安全な蓋体構造にすると共に、該蓋体を計量カップとしても使用できるような構造にする。【解決手段】内部に溶液を収容可能に形成した中空容器の肩部に連接する円筒状の口頸部１ａの外周面に、蓋体２を螺着する螺合ネジ部５と、係合突起３とを形成してなる容器本体１に、前記口頸部１ａに螺合するネジ部６と、前記係合突起３に係止する複数のラチェット歯４を蓋体２の内周面に設けると共に、蓋体の天板部２ｂに前記口頸部１ａ内に嵌合する中栓状体７を突設して、円筒壁部分２ａが押圧変形可能な計量カップ状に形成してなる蓋体２を螺合せしめて液体容器を形成して、前記蓋体のラチェット歯４が容器本体の係合突起３に係止して、蓋体２が開蓋方向に不用意に回動しないように構成すると共に、前記蓋体は内容液を計量可能な構成にする。【選択図】        図１
2004149198.tif 000002
【特許請求の範囲】
【請求項１】
内部に溶液を収容する中空容器の肩部に連接した円筒状の口頸部に螺着可能に形成した蓋体であって、蓋体の天板部側の内面に口頸部の螺合ネジ山に螺合するネジ部を設けると共に、蓋体の開口端側の内面に口頸部の係合突起に係止する複数のラチェット歯を設けて蓋体を形成し、更に、該蓋体の天板部を内側へ筒状に突出せしめて形成した中栓状体を容器の口頸部内に嵌合可能となした蓋体を、熱可塑性合成樹脂の射出成形により押圧変形可能に形成してなることを特徴とする計量可能な安全蓋体。
【請求項２】
内部に溶液を収容する中空容器の肩部に連接した円筒状の口頸部に螺着可能に形成した蓋体であって、蓋体の天板部側の内面に口頸部の螺合ネジ山に螺合するネジ部を設けると共に、蓋体の開口端側の内面に口頸部のラチェット歯に係止する係合突起を設けて蓋体を形成し、更に、該蓋体の天板部を内側へ筒状に突出せしめて形成した中栓状体を容器の口頸部内に嵌合可能となした蓋体を、熱可塑性合成樹脂の射出成形により押圧変形可能に形成してなることを特徴とする計量可能な安全蓋体。
【請求項３】
前記蓋体は、天板部を内側へ筒状に突出せしめて形成した中栓状体を設けた部分を最小の計量容積とする計量目盛りが円筒壁部分に設けられて、内溶液を計量可能にした蓋体に形成されてなることを特徴とする請求項１または請求項２に記載する計量可能な安全蓋体。
【請求項４】
内部に溶液を収容可能に形成した中空容器の肩部に連接する円筒状の口頸部の外周面に、蓋体を螺着する螺合ネジ部と、係合突起とを形成してなる容器本体に、前記口頸部に螺合するネジ部と、前記係合突起に係止する複数のラチェット歯を蓋体の内周面に設けると共に、前記口頸部内に嵌合する中栓状体を蓋体の天板部に突設して、円筒壁部分を押圧変形可能に形成してなる蓋体を被着して螺合せしめて、前記蓋体のラチェット歯を前記係合突起に係止せしめて、蓋体が開蓋方向に回動不能に形成されてなることを特徴とする計量可能な安全蓋体を装着した液体容器。
【請求項５】
内部に溶液を収容可能に形成した中空容器の肩部に連接する円筒状の口頸部の外周面に、蓋体を螺着する螺合ネジ部と、複数のラチェット歯とを形成してなる容器本体に、前記口頸部に螺合するネジ部と、前記ラチェット歯に係止する係合突起とを蓋体の内周面に設けると共に、前記口頸部内に嵌合する中栓状体を蓋体の天板部に突設して、円筒壁部分を押圧変形可能に形成してなる蓋体を被着して螺合せしめて、前記蓋体の係合突起を前記ラチェット歯に係止せしめて、蓋体が開蓋方向に回動不能に形成されてなることを特徴とする計量可能な安全蓋体を装着した液体容器。
【発明の詳細な説明】
【０００１】
【発明の属する技術分野】
本願の発明は、内部に薬液や消毒液等の溶液が収容された中空容器の口頸部に螺着して、容器の開口部を密閉するのに適した蓋体を計量可能にすると共に、簡単には開くことがないような形状としたもので、更に詳細には、乳幼児にとっては有害となる各種の薬液等の溶液を収容した中空容器、あるいは、強烈な刺激臭や悪臭その他の有害な溶液が収容された中空容器の口頸部に螺着して、幼児が悪戯して蓋部を回しても簡単には開口されないように、あるいは、不用意に開蓋しないように密閉できるようにした安全蓋体を、計量カップとして使用可能な構造に形成すると共に、該蓋体を装着した液体容器に関するものである。
【０００２】
【従来の技術】
従来から用いられている液体を収容した中空容器の開口部を密閉するのには、口頸部内に押し込む密閉栓、または、口頸部に螺着するネジ蓋が一般に広く使用されてきたが、最近は、簡単に密閉することができて、容易に開閉することができるネジ蓋が多用されるようになった。
ネジ蓋を用いた容器は、蓋部を掴んで回すだけで、誰にでも簡単に開封することができて、非常に便利ではあるが、その反面では、乳幼児が容器に触れて、蓋部を手や口でもてあそんでいるうちに、ネジ蓋が外れてしまうことがあって非常に危険であったり、また、実際に外れた蓋や漏れ出た内容物を口に入れたことによる事故も多発している。
【０００３】
このようなネジ蓋を設けた容器の問題点をなくすために色々な安全な蓋体を用いたものがあり、例えば、内蓋の栓体を容器の口頸部内に押し込んで密閉した上からネジ蓋からなる外蓋を口頸部に螺着する二重構造にした安全な蓋体を装着して、外蓋を回して外しただけでは内容液を注出できないようにしたもの、あるいは、容器の口頸部に螺合した内蓋の上に外蓋を被せて密閉する二重構造の安全な蓋体を装着して、外蓋を押圧した状態で回動させるか、あるいは、嵌合ピン等の係合手段を係合して回さない限り、内蓋が一緒に回転して開封できないような構造にしたり、その他の簡単には開口することができない構造の蓋体が従来から知られており、また、特開平９−１０４４５３号や特開２０００−３３５６１０号、特開２００１−７２０９８号公報等やその他に各種の安全な蓋体に関する提案がなされている。
【０００４】
このような従来の安全な蓋体を用いた容器は、幼児の悪戯による開封は防止できるが、しかし、その反面一般の人にとっても開口することが面倒な場合があり、実際に開蓋して使用するに際して不便であるばかりか、通常の蓋体に比べてその構造が非常に複雑であり、製造コストも割高になることから、実際には一般的にあまり使用されることがなかった。
そこで、上記した従来の安全な蓋体に比べて開口操作を容易に行うことができて、また、蓋体の構造をもう少し簡単にして、蓋体を安価に製造することができるようにして、二重構造となした安全な蓋体が、特開平１１−２７８５０７号や特開２００１−３４１７６０号公報その他に提案されている。
【０００５】
上記した二重構造の安全な蓋体は、図１０に示すように、容器本体２１の口頸部２１ａに螺合されるキャップ本体２２と、キャップ本体２２の外周を囲む円筒形の外装体２３とで構成された安全キャップ２４で、キャップ本体２２の外周面と外装体２３の内周面には、外装体２３を押圧することにより相互に噛み合う縦縞のギザギザ状の凹凸２２ａ，２３ａが形成されて、キャップ本体２２の外周面と外装体２３の内周面との間には、僅かの隙間が形成されている。
そして、キャップ本体２２の外周面の下端部には、僅かに外側へ張り出した鍔部２２ｂを有し、該鍔部２２ｂの上縁には鋸歯状の溝２２ｃが多数周設されていて、また、前記外装体２３の内周面の下方には、鋸歯状の突起２３ｂが多数周設されていて、鋸歯状の溝２２ｃと鋸歯状の突起２３ｂは噛み合ってラチェット機構として作用するようになっている。
【０００６】
上記のような構成にした安全キャップ２４を装着した液体容器は、前記容器本体の開口部を密閉する際には、口頸部２１ａに対して前記外装体３を蓋が閉じる方向へ捻じると、外装体２３の鋸歯状の突起２３ｂがキャップ本体２２の鋸歯状の溝２２ｃに係合してラチェット機構が働くので、前記キャップ本体２２は外装体２３と一体になって回転しながら容器の開口部を密閉することができる。
また、開蓋しようとして、口頸部２１ａに対して蓋部を開く方向へ外装体２３を単に捻じるだけでは、外装体２３はキャップ本体２２の鋸歯状突起２２ｂの斜面に乗り上げて、ラチェット機構が非係合状態になって外装体２３が空回りして、前記キャップ本体２２が回転することがないので、容器の開口部が開くことがない。
【０００７】
従って、上記した安全な蓋体を実際に開くには、蓋部を掴んだ指先に力を加えて外装体２３を楕円形に押し潰した状態して、キャップ本体２２と外装体２３とを噛み合わせて一体にして回転させなければならないので、乳幼児の悪戯による開蓋や誤飲等を防止することができて、また、普通の人にとっては、外装体を指先で潰して回すことにより簡単に開蓋することができて便利である。
しかし、上記した従来の安全蓋体は、ネジ蓋本体を形成するのに、二つ、または、三つ、あるいは、それ以上の部材を組み合わせてなる複数の部材で構成されるものであるから、蓋体の構造が複雑で手間がかかり、その製造コストを引き下げることが困難であり、また、前記蓋体は、注出する内溶液を計る計量カップとして使用することはできないので、もう少し改良の余地がある。
【０００８】
そして、中空容器の口頸部を密閉する蓋体を、注出する内容物を計量する計量カップとしても使用できるようにした容器として、実開昭６０−５０１４６号や実開平１−５１０４３号公報等に記載されるような中空容器が知られている。
これらの中空容器は、図９（ｂ）に示すように、容器本体５１の口頸部５２に螺着する蓋体５３が、内蓋兼用の内筒面に目盛りを付けて形成した計量筒５３ａを口頸部５２の内面に嵌着せしめると共に、外筒５３ｂの内周面に設けたネジを口頸部５２の外周面のネジ部に螺合せしめて密閉するようにしたものである。
【０００９】
しかし、上記のような蓋体を装着した中空容器は、蓋体５３を容器本体５１の口頸部５２から外して、図９（ａ）に示すように、内容液を計量する計量カップとして使用することができて、非常に便利ではあるが、蓋体５３を口頸部５２から外すには、内蓋の内筒５３ａを抜かなければならず、やや大きな指先の力を必要とし、また、完全に安全な蓋体とは言えない。
そこで、上記したような従来の計量カップとして使用可能な蓋体を改良して、容器本体の口頸部に螺着された蓋体を、単に回動しようとしても開口することができない構造にした安全な蓋体に形成すると共に、該蓋体を開口する際の回動操作を容易に行うことができる構造に形成して、且つ、前記蓋体の構造を簡単にして安価に製造することができるようにした二重構造の安全な蓋体を、既に出願人は、特開２０００−３３５６１１号公報その他に提案している。
【００１０】
上記した発明の安全蓋体は、図６に示すように、容器本体３１の口頸部３１ａに嵌着する装着筒３２と、該装着筒の外周面に螺合する蓋体３３と、該蓋体に嵌合する計量カップ３４とで構成したものある。
前記装着筒３２は、容器本体３１の口頸部に回動不能に、且つ、脱落不能に嵌着する円筒壁部に螺合ネジ部３５を設けて、該円筒壁部の下端部に円盤状のフランジ部３６を周設すると共に、該フランジ部の端縁に段部３７ａを設けて円筒壁３７が容器の肩部３１ｂを覆うように垂設されていて、前記フランジ部には円筒壁部３２ａに沿って短いスリット状の開孔３６ａが設けられると共に、該開孔の一端部に連接した割り溝３８が前記円筒壁３７に設けられて、弾性変形可能な操作部が形成されて、前記フランジ部３６の割り溝３８の開口端部に三角形状の係合突起３６ｂが設けられている。
【００１１】
また、前記蓋体３３は、前記装着筒３２の円筒壁部３２ａに螺合可能に形成した筒状蓋部３３ａと、該筒状蓋部の下端部に周設したフランジ部３３ｂの外周端面に立設した円筒状の外筒３３ｃとからなり、前記円筒状の外筒３３ｃの内周面に前記係合突起３６ｂに係合する係止突起３３ｄが設けられて、前記筒状蓋部分と外筒との間に計量カップ３４が着脱自在に嵌合可能に形成されている。
上記のように形成された装着筒３２は、各種の内溶液が収容された中空の容器本体３１の口頸部３１ａに嵌着されて、該装着筒に計量カップ３４が嵌合された蓋体３３が螺着されて液体容器が構成される。
【００１２】
このような液体容器を閉蓋するには、計量カップ３４が嵌合された蓋体３３を装着筒３２に被着して閉蓋方向に回動させると、図７に示すように、蓋部が装着筒の螺合ネジ３５に螺合すると共に、円筒状の外筒が降下して、内周面に設けた係止突起３３ｄが前記装着筒３２の係合突起３６ｂに係合して、該係合突起を内側へ押圧変形させながら、その上を乗り越えて回動するので、蓋体３３を単に回動させるだけで螺着することができる。
また、液体容器を開蓋しようとして、蓋体３３を単に回動させようとしても、外筒内面の係止突起３３ｄが前記装着筒の係合突起３６ｂに係止して回動することができないが、図６に矢印で示すように、装着筒３２の前記円筒壁３７の操作部を指先で押圧すると、スリット状の開孔３６ａ部分が弾性変形して前記係合突起３６ｂが内側へ後退して、前記蓋体の係止突起３３ｄに係止しないようになるので、蓋体３３を回動させることにより装着筒から外すことができる。
【００１３】
上記のように構成した発明の蓋体は、単に蓋体を回すだけでは開蓋しないので、幼児の悪戯による開蓋を防止することができて、また、蓋体自体が単一部材で構成されてはいるが、前記蓋体を安全な状態に螺合するには、容器本体の口頸部に嵌着する特別な装着筒を用いる必要があり、また、計量カップ３４は蓋体３３とは別体に形成したものであるから、このような安全な蓋体の製造コストを低減することは非常に困難である。
従って、前記した実開昭６０−５０１４６号公報に記載される考案の良い点と特開２０００−３３５６１１号公報に記載される発明の良い点とを組み合わせた構造の蓋体にして、安価に製造することができると共に、計量カップとしても使用可能にした液体容器の口頸部に螺着する安全な蓋体の出現が望まれる。
【００１４】
【発明が解決しようとする課題】
本願の発明は、各種の溶液が収容された中空容器の開口部を密閉する蓋体を、幼児等による悪戯によっては簡単に開かないような構造にして、不注意による危険性から幼児を守ることができて、また、不用意に開蓋するようなことはないが、一般の大人にとっては開蓋する操作が容易に行うことができて、簡単に開口できるような構造をした安全な蓋体を形成すると共に、該蓋体は内容液の計量を行うのにも適した構造をした蓋体に形成する。
そして、前記安全な蓋体は、簡単な構造をした一つの部材で形成すると共に、合成樹脂の射出成形等により容易に成形することができる構造に形成して、製造コストを低減することができる安全な蓋体にして、また、内容液の計量カップとしても使用できるようにした安全な蓋体に形成すると共に、前記安全な蓋体を装着した液体容器を提供することを目的とする。
【００１５】
【課題が解決するための手段】
上記の課題を達成するために、ブロー成形により内部に溶液を収容可能に成形した中空容器の肩部に連接する円筒状の口頸部の外周面に、開口部を密閉する蓋体を螺着する螺合ネジ部を設けると共に、蓋体のラチェット歯と係合する係合突起を設けてなる容器本体を形成する。
また、前記容器本体の円筒状の口頸部に螺着可能な蓋体を形成すると共に、該蓋体を計量カップとして使用可能な形状に形成して、前記蓋体の天板部側の内面には口頸部の螺合ネジ山に螺合するネジ部を設けると共に、蓋体の開口端側の内面に口頸部の係合突起に係止するラチェット歯を設けて、前記係合突起を設けた円筒壁部分を押圧変形可能に形成した蓋体を、熱可塑性合成樹脂の射出成形により成形した安全蓋体を形成する。
そして、内溶液が収容された前記容器本体の口頸部に、前記安全蓋体を螺着して、不用意に蓋体が開くことがないように密閉された液体容器を構成する。
【００１６】
【発明の実施の形態】
熱可塑性合成樹脂をブロー成形して、内部に溶液を収容可能な中空の容器本体１を形成すると共に、容器本体１の円筒状をした口頸部１ａの外周面に、蓋体２に設けたラチェット歯４と係合する係合突起３と蓋体を螺着する螺合ネジ部５とを形成して、安全蓋体を螺着可能となした中空容器を形成する。
また、上記中空容器の円筒状の口頸部１ａに螺着可能すると共に内容液を計量可能にした蓋体２を、熱可塑性合成樹脂の射出成形により成形して、前記蓋体の天板部２ｂ側の内周面に容器本体の口頸部１ａに設けた螺合ネジ部５に螺合するネジ部６を設けると共に、蓋体２の開口端側の内面に容器本体の口頸部１ａに設けた係合突起３に係止するラチェット歯４を設けた蓋体２に形成して、前記蓋体の円筒壁部２ａの押圧部２ｃを押圧により楕円状に変形可能に形成した安全蓋体を形成する。
【００１７】
このように形成された安全蓋体を、内溶液が収容された前記中空容器本体の口頸部１ａに被着して、前記蓋体２を閉蓋方向に回転せしめることにより、前記蓋体のラチェット歯４の斜面を口頸部の係合突起３が乗り越えるようにして蓋体２が回動して螺着して、安全蓋体が装着された液体容器が構成される。
上記のように構成された液体容器を開蓋するには、前記蓋体２の押圧変形可能な円筒壁部２ａに設けた押圧部２ｃを指先で押圧すると、蓋体２が楕円形状に変形してラチェット歯４と係合突起３との係合が解除される。
そこで、蓋体２を開蓋方向に回動せしめると、前記蓋体のラチェット歯４の係合端面が口頸部の係合突起３から離れた状態になり、蓋体２は自由に回動させることができて口頸部１ａから螺脱して、容器は開口されて注出可能となるので、容器を傾けることにより内溶液を注出して使用することができる。
【００１８】
【実施例】
以下に、本願発明の液体容器について、最適な一つの実施例に基づいて、図面を参照しつつ詳細に説明する。
本願発明の液体容器は、図１に示すように、熱可塑性合成樹脂のブロー成形等により成形された中空の容器本体１の口頸部１ａに、図２に示すように、計量可能な形状に形成された筒状の蓋体２を螺着したものである。
上記の中空容器は、熱可塑性合成樹脂のブロー成形により内部に各種の溶液が収容可能な中空の容器本体が成形されると同時に、前記中空容器の肩部１ｂに連接した円筒状の口頸部１ａの外周面には、螺着されるカップ状もしくは円筒状をした蓋体２の内面に設けられたラチェット歯４と係合するように対称な位置に設けた複数の係合突起３と、該蓋体２のネジ部６が螺合する螺合ネジ部５とが形成されて、図５に示したような中空の容器本体１に成形されている。
【００１９】
また、上記の蓋体は、熱可塑性合成樹脂を射出成形して、図２に示すように、前記容器本体１の口頸部１ａに螺着可能なカップ状もしくは円筒状の蓋体２に成形すると共に、蓋体２の天板２ｂの中央部分を内側へ窪ませて小径の筒状に突設した中栓状体７に形成したものである。
そして、前記蓋体２の内周面には、図３に示すように、開口端部寄りに前記口頸部１ａに設けられた係合突起３に係止する複数のラチェット歯（図示したものは３つの歯）４を対称な２箇所の位置に形成すると共に、天板部２ｂ寄りに前記口頸部１ａの螺合ネジ部５に螺合するネジ部６を形成して、前記ラチェット歯４が形成された円筒壁部２ａを押圧変形可能に成形して安全蓋体を形成する。
【００２０】
上記のように形成された本願発明の蓋体２は、容器本体１の口頸部１ａに螺着して開口部を密閉する際に、中栓状体７の外周面および天板部２ｂ、ネジ部６と、容器の口頸部１ａの接触面とが密に接して密閉するので、従来の安全蓋体よりも密閉性がよくなる。
尚、上記蓋体２の天板２ｂの中央部を内側へ窪ませた小径の中栓状体７を突設したのは、蓋体２を計量容器として用いる場合に、蓋体２の底部分に溜まる少量の溶液量を嵩上げにして、計る目盛りを見やすくするためである。
また、上記実施例に於ける係合突起３よびラチェット歯４は、それぞれ口頸部と蓋体の対称な位置の２箇所に設けられているが、１箇所または３箇所以上に設けることも可能である。
【００２１】
そして、このうよに形成された安全蓋体を、各種の薬液、その他の液体が収容された中空容器に装着して液体容器を形成するには、容器本体１の口頸部１ａに前記蓋体２を被着してから、該蓋体２を閉蓋方向へ回動せしめると、蓋体２のネジ部６が口頸部１ａの螺合ネジ部５に螺合して前進するが、その際に図４に実線矢印で示したように、前記蓋体２のラチェット歯４は、口頸部１ａの係合突起３の斜面に乗り上げて滑るように移動するので、蓋体２は無理なく回転して口頸部１ａに螺着されて、開口部を密閉して液体容器が構成される。
このようにして、蓋体２を螺着して密閉された液体容器は、蓋体２が不用意に開蓋方向へ回動されても、前記蓋体２のラチェット歯４が口頸部１ａの係合突起３の端面に係合して、回動不能になるように構成されている。
【００２２】
上記のように構成された液体容器の安全蓋体を開いて内溶液を注出して使用するには、図４に実線の太い矢印で示す方向に、蓋体２を指先で掴んだまま指先に力を入れて、円筒壁部２ａのラチェット歯４が存在しない部分の押圧部分２ｃを押圧すると、蓋体２は点線の太矢印で示す方向に変形して、図４に仮想線で示したような形状に変形するので、蓋体の円筒壁部２ａのラチェット歯４が容器本体の口頸部１ａの係合突起３から離れて、蓋体２が回動可能な状態になる。
そこで、図４に点線の矢印で示したように、蓋体２を開蓋方向に捻ると、蓋体２は容易に回動されて容器本体１の口頸部１ａから分離することができて、液体容器は注出可能に開口される。
【００２３】
上記したように、本願発明の蓋体は、従来の複数の部材から形成された安全蓋体とは異なり、図２に示すように、単一の部材により成形されて余分なものが設けられておらず、計量カップとしても使用することができるので、上記のようにして開口された容器本体を傾けて口頸部から外した蓋体に内溶液を注ぐことにより、必要な量だけを注出して使用することができる。
その際に、本願発明の蓋体２は、前記したように天板２ｂ中央部に内側へ窪ませて小径の筒状をした中栓状体７を設けて、蓋体２の底部分を溶液が嵩上げになるように形成されているので、この部分の容量を最小単位とした目盛りを設けることにより、計量カップの底の部分に注がれる溶液の量を嵩上げにして計ることができるので、目盛りを見て計量するのが容易になり非常に便利である。
【００２４】
上記した実施例に於いては、蓋体２が不用意に開蓋されるのを阻止するためのラチェット歯３を、蓋体２の円筒壁部２ａの内周面の開口端部寄りに設けたが、本願の発明はこのようなものに限定されるものではない。
例えば、図３および図４に示した構造とは逆に、容器本体１の口頸部１ａにラチェット歯を設けておいて、口頸部に螺合する蓋体２の円筒壁部２ａの内周面に係合突起を設けると共に、前記円筒壁部を押圧弾性変形が可能に形成して、前記口頸部１ａに設けたラチェット歯に蓋体２の円筒壁部２ａの係合突起が係合するように構成して、前記蓋体２を容器本体１の口頸部１ａに螺着することも可能である。
【００２５】
上記のように形成した蓋体２を、内溶液が収容された容器本体１の口頸部１ａに螺着しても、先の実施例と同じように、前記蓋体２の係合突起が容器本体１の口頸部１ａのラチェット歯に係合されて、蓋体２は開蓋方向へ回動不能に係止された液体容器が形成される。
このように形成された液体容器を使用するには、先の実施例の場合と同じように、手に持った容器の蓋体２の円筒壁部２ａの押圧部２ｃを指先で押圧すると、蓋体２の円筒壁部２ａが外向きに変形するので、円筒壁部２ａの内面に設けた係合突起が口頸部１ａのラチェット歯との間の係合が解かれて、蓋体２は回動可能な状態になるので、液体容器は蓋体が口頸部から螺脱されて開口して注出可能になる。
【００２６】
上述したように、本願の発明は、容器の口頸部に螺着して開口部を密閉する安全蓋体を、合成樹脂の射出成形により一体成形した単一部材で形成することができるので、従来の安全蓋体に比べて、蓋体の構造が非常に簡単であり、組み立て工程が必要ないので、製造コストを低減することができて、安価な蓋体を成形することができる。
また、本願発明の蓋体は、蓋の内部にはネジ山と、係合突起またはラチェット歯が設けられただけであり、また、蓋体の天板部を小径の筒状をした中栓状体を内側へ突設せしめて形成したので、蓋体を内容液の計量カップとして使用する際に、非常に計り易いものになっている。
【００２７】
【発明の効果】
本願発明の蓋体を用いた液体容器は、蓋体を単に開蓋方向へ回動させようとしても、蓋体に設けられた係合突起またはラチェット歯が、口頸部のラチェット歯または係合突起に係止して、蓋体が回動不能となるので、乳幼児の悪戯による開蓋や不用意な開封が発生するのを防止することができて、また、一般の人にとっては、蓋体の円筒壁部を押圧して回動させることにより、簡単に開蓋することがてきて非常に便利である。
また、本願発明の蓋体は、一体成形の簡単な構造をしていて、射出成形等により簡単に成形することができるので、安全蓋体を安価に製造することができて、また、蓋体の内部には余分な部材がなくて、蓋体を計量カップとして使用するのに便利であり、また、蓋体の天板部を内側へ中栓状に突設したので、少量の溶液の計量が容易にできて、更に、容器の開口部の密閉性もよい。
【図面の簡単な説明】
【図１】本願発明の蓋体を装着した液体容器を示す斜視図である。
【図２】本願発明の蓋体を示す斜視図である。
【図３】〔図１〕に示した液体容器の口頸部の縦断面図である。
【図４】〔図３〕に示した液体容器の口頸部の係合部分を示す横断面図である。
【図５】本願発明の第一実施例の蓋体と容器本体を示す斜視図である。
【図６】本発明の先行例を示す計量可能な蓋体と容器の口頸部の分解斜視図である。
【図７】図６に示す先行例の蓋体を被着した容器の断面図である。
【図８】図７に於ける口頸部の横断面図である。
【図９】従来の計量可能な蓋体と、それを用いた容器の断面図である。
【図１０】従来の安全蓋体と容器の口頸部を示す分解図である。
【符号の説明】
１．  容器本体
１ａ．口頸部
１ｂ．肩部
２．  蓋体
２ａ．円筒壁部
２ｂ．天板部
２ｃ．押圧部分
３．  係合突起
４．  ラチェット歯
５．  螺合ネジ部
６．  ネジ部
７．  中栓状体
【図１】
2004149198.tif 000003
【図２】
2004149198.tif 000004
【図３】
2004149198.tif 000005
【図４】
2004149198.tif 000006
【図５】
2004149198.tif 000007
【図６】
2004149198.tif 000008
【図７】
2004149198.tif 000009
【図８】
2004149198.tif 000010
【図９】
2004149198.tif 000011
【図１０】
2004149198.tif 000012